(57)【要約】【課題】高温の流れに曝される構成部品を冷却する。【解決手段】多壁ブレードのための後縁冷却システムであって、多壁ブレードの後縁に向かって延びており、冷却剤の供給部に流体連通した往路レグの組と、多壁ブレードの後縁から遠ざかるように延びており、冷却剤の集合通路に流体連通した復路レグの組と、往路レグの組と復路レグの組とを流体連通させる接続システムとを含んでおり、往路レグの組は、多壁ブレードの径方向の軸に沿って復路レグの組から径方向にオフセットされている、後縁冷却システム。【選択図】図３
2018091322.tif 000002
【特許請求の範囲】
【請求項１】
多壁ブレード（６）のための後縁冷却システムであって、
前記多壁ブレード（６）の後縁（１６）に向かって延びており、冷却剤の供給部（４２、１４２、２４２、３４２）に流体連通した往路レグ（３４、１３４、２３４、３３４）の組（１６０、２６０）と、
前記多壁ブレード（６）の後縁（１６）から遠ざかるように延びており、冷却剤の集合通路（４６、１４６、２４６、３４６）に流体連通した復路レグ（３８、１３８、２３８、３３８）の組（１６２、２６２）と、
前記往路レグ（３４、１３４、２３４、３３４）の組（１６０、２６０）と前記復路レグ（３８、１３８、２３８、３３８）の組（１６２、２６２）とを流体連通させる接続システム（３６、１３６、２３６、３３６）と
を備えており、
前記往路レグ（３４、１３４、２３４、３３４）の組（１６０、２６０）は、前記多壁ブレード（６）の径方向の軸（ｒ）に沿って前記復路レグ（３８、１３８、２３８、３３８）の組（１６２、２６２）から径方向にオフセットされている、後縁冷却システム。
【請求項２】
前記復路レグ（３８、１３８、２３８、３３８）の組（１６２、２６２）は、前記往路レグ（３４、１３４、２３４、３３４）の組（１６０、２６０）に対して周方向にオフセットされている、請求項１に記載の後縁冷却システム。
【請求項３】
前記往路レグ（３４、１３４、２３４、３３４）の組（１６０、２６０）は、前記多壁ブレード（６）の負圧面（１０）に沿って延び、前記復路レグ（３８、１３８、２３８、３３８）の組（１６２、２６２）は、前記多壁ブレード（６）の正圧面（８）に沿って延びており、あるいは前記往路レグ（３４、１３４、２３４、３３４）の組（１６０、２６０）は、前記多壁ブレード（６）の正圧面（８）に沿って延び、前記復路レグ（３８、１３８、２３８、３３８）の組（１６２、２６２）は、前記多壁ブレード（６）の負圧面（１０）に沿って延びている、請求項２に記載の後縁冷却システム。
【請求項４】
前記冷却剤の供給部（４２、１４２、２４２、３４２）は、往路レグ（３４、１３４、２３４、３３４）の複数の組（１６０、２６０）に流体連通し、前記冷却剤の集合通路（４６、１４６、２４６、３４６）は、復路レグ（３８、１３８、２３８、３３８）の複数の組（１６２、２６２）に流体連通している、請求項１に記載の後縁冷却システム。
【請求項５】
往路レグ（３４、１３４、２３４、３３４）の所与の組（１６０、２６０）のうちの第１の往路レグが、前記接続システム（３６、１３６、２３６、３３６）によって、復路レグ（３８、１３８、２３８、３３８）の隣接する組（１６２、２６２）のうちの復路レグに流体連通し、往路レグ（３４、１３４、２３４、３３４）の前記所与の組（１６０、２６０）のうちの第２の往路レグが、前記接続システム（３６、１３６、２３６、３３６）によって、復路レグ（３８、１３８、２３８、３３８）の別の隣接する組（１６２、２６２）のうちの復路レグに流体連通する、請求項４に記載の後縁冷却システム。
【請求項６】
前記接続システム（３６、１３６、２３６、３３６）は、後部接続部（１３６）を備え、該後部接続部（１３６）は、往路レグ（１３４）の各組（１６０）の往路レグおよび復路レグ（１３８）の各組（１６２）の復路レグを接続する、請求項５に記載の後縁冷却システム。
【請求項７】
前記後部接続部（１３６）は、往路レグ（１３４）の各組（１６０）の往路レグの間および復路レグ（１３８）の各組（１６２）の復路レグの間の地点に配置された輪郭部（１７２）を含む、請求項６に記載の後縁冷却システム。
【請求項８】
前記接続システム（３６、１３６、２３６、３３６）は、複数のターン（３６、、１３６、２３６、３３６）を備える、請求項５に記載の後縁冷却システム。
【請求項９】
往路レグ（２３４、３３４）の所与の組（２６０）のうちの往路レグが、第１のターン（２３６、３３６）によって、復路レグ（２３８、３３８）の隣接する組（２６２）のうちの復路レグに流体連通し、往路レグ（２３４、３３４）の前記所与の組（２６０）のうちの往路レグが、第２のターン（２３６、３３６）によって、復路レグ（２３８、３３８）の別の隣接する組（２６２）のうちの復路レグに流体連通する、請求項４に記載の後縁冷却システム。
【請求項１０】
前記往路レグ（３３４）の所与の組は、単一の往路レグ（３３４）を含む、請求項９に記載の後縁冷却システム。
【請求項１１】
前記復路レグ（３３８）の隣接する組の各々は、単一の復路レグ（３３８）を含む、請求項１０に記載の後縁冷却システム。
【発明の詳細な説明】
【技術分野】
【０００１】
本開示は、広くには、タービンシステムに関し、より詳細には、多壁（ｍｕｌｔｉ−ｗａｌｌ）ブレードのための冷却回路に関する。
【背景技術】
【０００２】
ガスタービンシステムは、発電などの分野で広く利用されているターボ機械の一例である。従来からのガスタービンシステムは、圧縮機部分、燃焼器部分、およびタービン部分を含む。ガスタービンシステムの運転中に、タービンブレードおよびノズルなどのシステム内の種々の構成部品が、構成部品を故障させかねない高温の流れに曝される。より高温の流れは、一般に、ガスタービンシステムの性能、効率、および出力の向上をもたらすため、ガスタービンシステムをより高い温度で動作させることができるよう、高温の流れに曝される構成部品を冷却することが好都合である。
【０００３】
多壁ブレードは、典型的には、内部冷却通路の入り組んだ迷路を含む。例えばガスタービンシステムの圧縮機によってもたらされる冷却空気（または、他の適切な冷却剤）が、多壁ブレードの種々の部分を冷却するために、冷却通路を通過し、冷却通路を出ることができる。多壁ブレード内の１つ以上の冷却通路によって形成される冷却回路は、例えば、内部壁側冷却回路、内部中央冷却回路、先端冷却回路、ならびに多壁ブレードの前縁および後縁に隣接する冷却回路を含むことができる。
【先行技術文献】
【特許文献】
【０００４】
【特許文献１】米国特許出願公開第２０１６／０１７７７４１号明細書
【発明の概要】
【０００５】
本開示の第１の態様は、多壁ブレードのための後縁冷却システムであって、多壁ブレードの後縁に向かって延びており、冷却剤の供給部に流体連通した往路レグの組と、多壁ブレードの後縁から遠ざかるように延びており、冷却剤の集合通路に流体連通した復路レグの組と、往路レグの組と復路レグの組とを流体連通させる接続システムとを含んでおり、往路レグの組は、多壁ブレードの径方向の軸に沿って復路レグの組から径方向にオフセットされている、後縁冷却システムを提供する。
【０００６】
本開示の第２の態様は、後縁冷却システムが内部に配置された多壁タービンブレードを提供する。後縁冷却システムは、多壁ブレードの後縁に向かって延びており、冷却剤の供給部に流体連通した往路レグの組と、多壁ブレードの後縁から遠ざかるように延びており、冷却剤の集合通路に流体連通した復路レグの組と、往路レグの組と復路レグの組とを流体連通させる接続システムとを含み、往路レグの組は、多壁ブレードの径方向の軸に沿って復路レグの組から径方向にオフセットされている。
【０００７】
本開示の第３の態様は、圧縮機部分と、燃焼器部分と、タービン部分とを含んでおり、タービン部分は複数のタービンブレードを含んでいるターボ機械を提供する。タービンブレードの少なくとも１つは、多壁ブレードである。このターボ機械は、多壁ブレードの内部に配置された後縁冷却システムをさらに含み、この後縁冷却システムは、多壁ブレードの後縁に向かって延びており、冷却剤の供給部に流体連通した往路レグの組と、多壁ブレードの後縁から遠ざかるように延びており、冷却剤の集合通路に流体連通した復路レグの組と、往路レグの組と復路レグの組とを流体連通させる接続システムとを含んでおり、往路レグの組は、多壁ブレードの径方向の軸に沿って復路レグの組から径方向にオフセットされている。
【０００８】
本開示の例示の態様は、本明細書に記載の問題および／または論じられない他の問題を解決する。
【０００９】
本開示のこれらの特徴および他の特徴は、本開示の種々の態様の以下の詳細な説明を本開示の種々の実施形態を示す添付の図面と併せて検討することで、より容易に理解されよう。
【図面の簡単な説明】
【００１０】
【図１】種々の実施形態による多壁ブレードの斜視図である。
【図２】種々の実施形態による図１の線Ｘ−Ｘに沿って得た図１の多壁ブレードの断面図である。
【図３】種々の実施形態による後縁冷却回路の一部分の側面図である。
【図４】種々の実施形態による図３の後縁冷却回路の上面断面図である。
【図５】種々の実施形態による図１の多壁ブレードの図３および図４に示した部分を示している。
【図６】種々の実施形態による後縁冷却回路の側面図である。
【図７】種々の実施形態による後縁冷却回路の側面図である。
【図８】種々の実施形態による後縁冷却回路の一部分の側面図である。
【図９】種々の実施形態による図８の後縁冷却回路の上面断面図である。
【図１０】種々の実施形態による後縁冷却回路の一部分の側面図である。
【図１１】種々の実施形態による後縁冷却回路の一部分の側面図である。
【図１２】種々の実施形態による後縁冷却回路の一部分の側面図である。
【図１３】種々の実施形態による図１２の後縁冷却回路の上面断面図である。
【図１４】種々の実施形態による後縁冷却回路の一部分の側面図である。
【図１５】種々の実施形態による後縁冷却回路の一部分の側面図である。
【図１６】種々の実施形態による図１５の後縁冷却回路の上面断面図である。
【図１７】種々の実施形態による後縁冷却回路の一部分の側面図である。
【図１８】種々の実施形態による図１７の後縁冷却回路の上面断面図である。
【図１９】種々の実施形態によるガスタービンシステムの概略図である。
【発明を実施するための形態】
【００１１】
本開示の図面が、必ずしも一定の縮尺ではないことに留意されたい。図面は、本開示の典型的な態様だけを示すことを目的としており、したがって、本開示の範囲を限定するものとみなすべきではない。図面において、図面間で類似する番号は類似する要素を示している。
【００１２】
上述したように、本開示は、広くには、タービンシステムに関し、より詳細には、多壁ブレードのための冷却回路に関する。多壁ブレードとして、例えば、タービンブレードまたはタービンシステムのノズルを挙げることができる。
【００１３】
いくつかの実施形態によれば、流れの再利用を伴う後縁冷却回路が、タービンシステム（例えば、ガスタービンシステム）の多壁ブレードを冷却するために設けられる。冷却空気の流れは、後縁冷却回路を通過した後に再利用される。後縁冷却回路を通過した後に、冷却空気の流れを集めて、多壁ブレードの他の部分を冷却するために使用することができる。例えば、冷却空気の流れを、対流冷却および／またはフィルム冷却のために、多壁ブレードの正圧面または負圧面の少なくとも一方へと導くことができる。さらに、冷却空気の流れを、先端およびプラットフォーム冷却回路など、多壁ブレード内の他の冷却回路へともたらしてもよい。本明細書においては多壁ブレードに関して説明されるが、後縁冷却回路は、他の種類のタービンブレードの後縁領域を冷却するために使用されてもよい。
【００１４】
伝統的な後縁冷却回路は、典型的に、冷却空気の流れを、後壁冷却回路を通って流れた後に、多壁ブレードから排出する。これは、冷却空気が、多壁ブレードから排出されるまでに、冷却空気の最大熱容量までは使用されていない可能性があるため、冷却空気の効率的な使用ではない。対照的に、いくつかの実施形態によれば、後壁冷却回路を通過した後の冷却空気の流れが、多壁ブレードのさらなる冷却のために使用される。
【００１５】
図面（例えば、図１９を参照）において、「Ａ」軸は、軸方向を表す。本明細書において使用されるとき、「軸方向」および／または「軸方向に」という用語は、タービンシステム（とくには、ロータ部分）の回転軸に実質的に平行な軸Ａに沿った物体の相対的な位置／方向を指す。さらに、本明細書において使用されるとき、用語「径方向」および／または「径方向に」は、軸Ａに実質的に垂直であり、ただ１つの位置において軸Ａと交差する軸「ｒ」（例えば、図１を参照）に沿った物体の相対的な位置／方向を指す。最後に、用語「周方向」は、軸Ａを中心とする移動または位置を指す。
【００１６】
図１を参照すると、タービンブレード２の斜視図が示されている。タービンブレード２は、シャンク４と、シャンク４に結合し、シャンク４から径方向外側へと延びている多壁ブレード６（多壁翼形部とも称される）とを含む。多壁ブレード６は、正圧面８と、反対側の負圧面１０と、先端領域５６とを含む。多壁ブレード６は、正圧面８と負圧面１０との間の前縁１４と、前縁１４の反対側の正圧面８と負圧面１０との間の後縁１６とをさらに含む。多壁ブレード６は、正圧側プラットフォーム５および負圧側プラットフォーム７から径方向に延びている。
【００１７】
シャンク４および多壁ブレード６の各々を、１つ以上の金属（例えば、ニッケル、ニッケルの合金、など）から形成でき、従来からの手法によって形成（例えば、鋳造、鍛造、または機械加工）することができる。シャンク４および多壁ブレード６を、一体的に形成（例えば、鋳造、鍛造、三次元印刷、など）してもよく、あるいは後に（例えば、溶接、ろう付け、接着、または他の結合の機構によって）接合される別々の構成部品として形成してもよい。
【００１８】
図２が、図１の線Ｘ−Ｘに沿って得た多壁ブレード６の断面図を示している。図示のように、多壁ブレード６は、複数の内部通路を含むことができる。いくつかの実施形態において、多壁ブレード６は、少なくとも１つの前縁通路１８と、少なくとも１つの正圧側（壁寄り）通路２０と、少なくとも１つの負圧側（壁寄り）通路２２と、少なくとも１つの後縁通路２４と、少なくとも１つの中央通路２６とを含む。多壁ブレード６における通路１８，２０，２２，２４，２６の数は、当然ながら、例えば多壁ブレード６の具体的な構成、サイズ、使用目的、などに応じてさまざまであってよい。この限りにおいて、本明細書に開示の実施形態に示される通路１８，２０，２２，２４，２６の数は、限定を意味しない。実施形態に応じて、通路１８，２０，２２，２４，２６のさまざまな組み合わせを使用して、種々の冷却回路を設けることができる。
【００１９】
後縁冷却回路３０を含む実施形態が、図３〜図６に示されている。後縁冷却回路３０は、多壁ブレード６の後縁１６に隣接して、多壁ブレード６の正圧面８と負圧面１０との間に配置される。
【００２０】
後縁冷却回路３０は、径方向に間隔を空けつつ（すなわち、「ｒ」軸（例えば、図１を参照）に沿って）配置された複数の冷却回路３２（２つだけ図示されている）を含み、冷却回路３２の各々は、往路レグ３４と、ターン３６と、復路レグ３８とを含む。往路レグ３４は、多壁ブレード６の後縁１６に向かって軸方向に延びている。復路レグ３８は、多壁ブレードの前縁１４に向かって軸方向に延びている。往路および復路レグ３４，３８は、多壁ブレード６の負圧面１０および正圧面８の輪郭に沿うことができる。いくつかの実施形態において、後縁冷却回路３０は、多壁ブレード６の後縁１６の径方向の全長Ｌ（図５）に広がることができる。他の実施形態において、後縁冷却回路３０は、多壁ブレード６の後縁１６の１つ以上の部分に部分的に広がることができる。
【００２１】
各々の冷却回路３２において、往路レグ３４は、ターン３６によって復路レグ３８に対して「ｒ」軸に沿って径方向にオフセットされている。この限りにおいて、ターン３６は、第１のラジアル面Ｐ1に配置された冷却回路３２の往路レグ３４を、第１のラジアル面Ｐ1とは異なる第２のラジアル面Ｐ2に配置された冷却回路３２の復路レグ３８に流体連通させる。例えば、図３に示した実施形態（ただし、これに限られるわけではない）において、往路レグ３４は、各々の冷却回路３２の復路レグ３８に対して径方向外側に配置されている。他の実施形態においては、冷却回路３２のうちの１つ以上において、復路レグ３８に対する往路レグ３４の径方向における位置を逆にし、往路レグ３４を復路レグ３８に対して径方向内側に配置してもよい。多壁ブレード６における図３に示した後縁冷却回路３０の一部分の位置２８（ただし、これに限られるわけではない）が、図５に示されている。
【００２２】
図４に示されるように、径方向のオフセットに加えて、往路レグ３４は、復路レグ３８に対して角度αに位置するようにターン３６によって周方向にオフセットされてもよい。この構成において、往路レグ３４が多壁ブレード６の負圧面１０に沿って延びる一方で、復路レグ３８が多壁ブレード６の正圧面８に沿って延びる（例えば、図３、図４、および図６を参照）。他の実施形態においては、往路レグ３４が多壁ブレード６の正圧面８に沿って延びる一方で、復路レグ３８が多壁ブレード６の負圧面１０に沿って延びてよい（例えば、図７を参照）。径方向および周方向のオフセットは、例えば後縁冷却回路３０の幾何学的制約および熱容量の制約ならびに／あるいは他の要因に基づき、さまざまであってよい。周方向のオフセットは、各々の冷却回路３２について同じであってよく、あるいは、例えば多壁ブレードの後縁１６における冷却回路３２の径方向位置に基づいて変化してもよい。
【００２３】
例えばガスタービンシステム１０２（図１９）の圧縮機１０４によって生成された冷却空気４０（または、他の適切な冷却剤）の流れは、少なくとも１つの冷却剤の供給部（例えば、冷気供給部４２）を介して後縁冷却回路３０に流入する。一般に、任意の適切な種類の冷却剤を使用することができる。各々の冷気供給部４２を、例えば図２に示した後縁通路２４のうちの１つ以上を使用して形成することができ、あるいは多壁ブレード６内の任意の他の適切な冷却空気の供給源を用いて設けることができる。各々の冷却回路３２において、冷却空気４０の流れの一部４４が、冷却回路３２の往路レグ３４に入り、ターン３６に向かって流れる。冷却空気の流れ４４は、冷却回路３２のターン３６によって方向転換（例えば、反転）させられ、冷却回路３２の復路レグ３８に流入する。各々の往路レグ３４へと入る冷却空気の流れ４４は、各々の冷却回路３２について同じであってよく、あるいは冷却回路３２の異なる組（すなわち、冷却回路３２のうちの１つ以上）において異なっていてもよい。
【００２４】
いくつかの実施形態によれば、後縁冷却回路３０の複数の冷却回路３２からの冷却空気の流れ４４は、冷却回路３２の復路レグ３８から集合通路４６へと流れ出る。単一の集合通路４６を設けることができるが、複数の集合通路４６を利用することも可能である。集合通路４６を、例えば図２に示した後縁通路２４のうちの１つ以上を使用して形成することができ、あるいは多壁ブレード６内の１つ以上の他の通路を用いて設けることができる。図３においては集合通路４６を通って径方向外側へと流れるように図示されているが、代わりに、「使用後」の冷却空気は、集合通路４６を通って径方向内側へと流れてもよい。
【００２５】
集合通路４６へと流入し、集合通路４６を通って流れる冷却空気４８またはその一部を、（例えば、１つ以上の通路（例えば、通路１８〜２４）および／または多壁ブレード６内の他の通路を使用して）多壁ブレード６の１つ以上のさらなる冷却回路へと導くことができる。この限りにおいて、冷却空気４８の残りの熱容量の少なくとも一部が、多壁ブレード６の後縁１６から非効率的に排出される代わりに、冷却の目的のために利用される。
【００２６】
冷却空気４８またはその一部を、多壁ブレードの種々の領域にフィルム冷却をもたらすために使用することができる。例えば、図２に示されるように、冷却空気４８を使用して、（後縁１６を含む）多壁ブレード６の負圧面１０に沿った１つ以上の位置に冷却フィルム５０をもたらし、（後縁１６を含む）多壁ブレード６の正圧面８に沿った１つ以上の位置に冷却フィルム５２をもたらし、（後縁１６を含む）多壁ブレード６の正圧面８および負圧面１０の両方に沿った１つ以上の位置に冷却フィルム５０、５２をもたらすことができる。さらに、冷却空気４８を使用して、多壁ブレード６の先端領域５６に沿った１つ以上の位置に冷却フィルム５４をもたらすことができ、さらには／あるいは多壁ブレードの正圧側および／または負圧側プラットフォーム５、７に沿った１つ以上の位置に冷却フィルム５８をもたらすことができる。
【００２７】
いくつかの実施形態において、後縁冷却回路３０内の１つ以上の冷却回路３２の往路および復路レグ３４，３８は、異なるサイズを有してもよい。例えば、図８および図９に示されるように、各々の冷却回路３２の往路レグ３４は、復路レグ３８よりも大きくてよい（例えば、熱伝達を高めるために）。往路レグ３４のサイズを、例えば往路レグ３４の径方向高さおよび横方向幅の少なくとも一方を増やすことによって大きくすることができる。他の実施形態において、往路レグ３４は、復路レグ３８よりも小さくてもよい。
【００２８】
さらなる実施形態においては、後縁冷却回路３０内の冷却回路３２の往路レグ３４および／または復路レグ３８のサイズを、例えば多壁ブレード６の後縁１６における冷却回路３２の相対の径方向位置に基づいて変えることができる。例えば、図１０に示されるように、径方向外側に位置する冷却回路３２Ａの往路レグ３４Ａおよび／または復路レグ３８Ａは、冷却回路３２Ｂの往路レグ３４Ｂおよび復路レグ３８Ｂのそれぞれよりもサイズが大きくてよい（例えば、熱伝達を向上させるために）。
【００２９】
さらなる実施形態においては、後縁冷却回路３０内の少なくとも１つの冷却回路３２において、往路レグ３４または復路レグ３８の少なくとも１つに障害物を設けることができる。障害物として、例えば、金属ピン、隆起部、フィン、プラグ、などを挙げることができる。さらに、障害物の密度を、多壁ブレード６における冷却回路３２の相対の径方向位置に基づいて変えることができる。例えば、図１１に示されるように、径方向外側に位置する冷却回路３２Ｃの往路レグ３４Ｃおよび復路レグ３８Ｃ、ならびに冷却回路３２Ｄの往路レグ３４Ｄおよび復路レグ３８Ｄに、一連の障害物６２を設けることができる。障害物６２の密度を、復路レグ３８Ｃ、３８Ｄのそれぞれにおける障害物６２の密度と比較して、往路レグ３４Ｃ、３４Ｄにおいてより高くすることができる（例えば、熱伝達を高めるために）。さらに、障害物６２の相対密度を、冷却回路３２Ｄと比較して、径方向外側に位置する冷却回路３２Ｃにおいてより高くすることができる（例えば、熱伝達を高めるために）。
【００３０】
いくつかの実施形態においては、複数の往路および復路レグをグループ化して後縁冷却回路を形成することができる。これは、例えば、圧力損失を低減し、さらには／あるいは後縁冷却回路における圧力低下を一様にし、場合によっては多壁ブレード６の製造を単純化するうえで、有用であるかもしれない。いくつかの実施形態によるこのような後縁冷却回路１３０の第１の実施例が、図１２〜図１４に示される。いくつかの実施形態によるこのような後縁冷却回路２３０の第２の実施例が、図１５および図１６に示される。いくつかの実施形態による後縁冷却回路３３０のさらなる例が、図１７および図１８に示される。
【００３１】
後縁冷却回路１３０は、複数の往路レグ１３４と、複数の復路レグ１３８と、複数の往路レグ１３４および複数の復路レグ１３８を流体連通させる後部接続部１３６とを含む。各々の往路レグ１３４は、多壁ブレード６の後縁１６に向かって軸方向に延びる。各々の復路レグ１３８は、多壁ブレードの前縁１４に向かって軸方向に延びる。往路および復路レグ１３４，１３８は、多壁ブレード６の負圧面１０および正圧面８の輪郭に沿うことができる。いくつかの実施形態において、後縁冷却回路１３０は、多壁ブレード６の後縁１６の径方向の全長Ｌ（図５）に広がることができる。他の実施形態において、後縁冷却回路１３０は、多壁ブレード６の後縁１６の１つ以上の部分に部分的に広がることができる。
【００３２】
複数の往路レグ１３４を、図１２に示されるとおりの組１６０へとグループ化することができ、各組１６０は、少なくとも２つの往路レグ１３４を含む。さらに、複数の復路レグ１３８を、組１６２へとグループ化することができ、各組１６２は、少なくとも２つの復路レグ１３８を含む。いくつかの実施形態によれば、往路および復路レグ１３４，１３８の組１６０，１６２は、多壁ブレード６の後縁１６の径方向の長さＬ（図５）の少なくとも一部分において、交互の並びで径方向に間隔を空けつつ（すなわち、「ｒ」軸に沿って）位置することができる。
【００３３】
図１３に示されるように、径方向のオフセットに加えて、往路レグ１３４の各組１６０は、隣接する少なくとも１つの復路レグ１３８の組１６２に対して角度βに位置するように、周方向にオフセットされてよい。この図示の構成においては、往路レグ１３４の各組１６０が多壁ブレード６の負圧面１０に沿って延びる一方で、復路レグ１３８の各組が多壁ブレード６の正圧面８に沿って延びる。径方向および周方向のオフセットは、例えば後縁冷却回路１３０の幾何学的制約および熱容量の制約ならびに／あるいは他の要因に基づき、さまざまであってよい。他の実施形態においては、往路レグ１３４の各組１６０が多壁ブレード６の正圧面８に沿って延びる一方で、復路レグ１３８の各組が多壁ブレード６の負圧面１０に沿って延びてよい。
【００３４】
例えばガスタービンシステム１０２（図１９）の圧縮機１０４によって生成された冷却空気１４０（または、他の適切な冷却剤）の流れは、少なくとも１つの冷却剤の供給部（例えば、冷気供給部１４２）を介して後縁冷却回路１３０に流入する。各々の冷気供給部１４２を、例えば図２に示した後縁通路２４のうちの１つ以上を使用して形成することができ、あるいは多壁ブレード６内の任意の他の適切な冷却空気の供給源を用いて設けることができる。
【００３５】
通路１４４が、冷気供給部１４２を往路レグ１３４の各組１６０に流体連通させる。冷却空気１４０の流れの一部１５０が、通路１４４を通って往路レグ１３４の各組１６０へと入り、後部接続部１３６に向かって往路レグ１３４を通過する個別の流れ１５２に分割される。
【００３６】
個別の流れ１５２は、後部接続部１３６へと進む。後部接続部１３６は、各々の個別の流れ１５２を復路レグ１３８の組１６２の隣接する復路レグ１３８へと向け直すように構成される。復路レグ１３８の各組１６２の復路レグ１３８における個別の流れ１５２は、合流し、通路１５６を通って集合通路１４６へと流れ込む流れ１５４となる。流れ１５４は、集合通路１４６において合流し、冷却空気の流れ１４８を形成する。
【００３７】
いくつかの実施形態によれば、単一の集合通路１４６を設けることができるが、複数の集合通路１４６を利用することも可能である。集合通路１４６を、例えば図２に示した後縁通路２４のうちの１つ以上を使用して形成することができ、あるいは多壁ブレード６内の１つ以上の他の通路を用いて設けることができる。図１３においては集合通路１４６を通って径方向外側へと流れるように図示されているが、代わりに、「使用後」の冷却空気は、集合通路１４６を通って径方向内側へと流れてもよい。
【００３８】
集合通路１４６へと流入し、集合通路１４６を通って流れる合流した冷却空気の流れ１４８またはその一部を、（例えば、１つ以上の通路（例えば、通路１８〜２４）および／または多壁ブレード６内の他の通路を使用して）多壁ブレード６の１つ以上のさらなる冷却回路へと導くことができる。この限りにおいて、冷却空気の流れ１４８の残りの熱容量の少なくとも一部を、多壁ブレード６の後縁１６から非効率的に排出する代わりに、冷却の目的のために利用することができる。
【００３９】
いくつかの実施形態において、後縁冷却回路１３０における１つ以上の組１６０、１６２の往路および復路レグ１３４，１３８は、異なるサイズを有してもよい。例えば、各組１６０の往路レグ１３４は、各組１６２の復路レグ１３８よりも大きくてよい。さらなる実施形態においては、後縁冷却回路１３０における１つ以上の組１６０、１６２の往路レグ１３４および／または復路レグ１３８のサイズを、例えば多壁ブレード６の後縁１６における組１６０、１６２の相対の径方向位置に基づいて変えることができる。さらなる実施形態においては、後縁冷却回路１３０内の往路および復路レグ１３４、１３８のうちの少なくともいくつかに障害物を設けることができる。
【００４０】
図１４に示されるように、後部接続部１３６の後端面１７０は、後部接続部１３６の内部に向かって延びる複数の輪郭部１７２を含むことができる。輪郭部１７２は、後部接続部１３６に沿って、往路レグ１３４の各組１６０の往路レグ１３４の間の地点および復路レグ１３８の各組１６２の復路レグ１３８の間の地点に配置される。各々の輪郭部１７２は、往路レグ１３４から後部接続部１３６へと進入する冷却空気のそれぞれの流れ１５２を、隣接する復路レグ１３８へと導く（例えば、方向転換させる）。この構成は、後縁冷却回路１３０における流体の滞留領域を減らし、熱伝達を改善し、圧力損失を低減し、製造のための強度を提供する。
【００４１】
図１５に示されるように、後縁冷却回路２３０は、複数の往路レグ２３４と、複数の復路レグ２３８と、複数の往路レグ２３４および複数の復路レグ２３８を流体連通させるための複数のターン２３６とを含む。各々の往路レグ２３４は、多壁ブレード６の後縁１６に向かって軸方向に延びる。各々の復路レグ２３８は、多壁ブレードの前縁１４に向かって軸方向に延びる。往路および復路レグ２３４，２３８は、多壁ブレード６の負圧面１０および正圧面８の輪郭に沿うことができる。いくつかの実施形態において、後縁冷却回路２３０は、多壁ブレード６の後縁１６の径方向の全長Ｌ（図５）に広がることができる。他の実施形態において、後縁冷却回路２３０は、多壁ブレード６の後縁１６の１つ以上の部分に部分的に広がることができる。
【００４２】
複数の往路レグ２３４を、図１５に示されるとおりの組２６０へとグループ化することができる。さらに、複数の復路レグ２３８を、組２６２へとグループ化することができる。いくつかの実施形態によれば、往路および復路レグ２３４，２３８の組２６０，２６２は、多壁ブレード６の後縁１６の径方向の長さＬ（図５）の少なくとも一部分において、交互の並びで径方向に間隔を空けつつ（すなわち、「ｒ」軸に沿って）位置することができる。
【００４３】
図１６に示されるように、径方向のオフセットに加えて、往路レグ２３４の各組２６０は、隣接する少なくとも１つの復路レグ２３８の組２６２に対して角度βに位置するように、周方向にオフセットされてよい。この図示の構成においては、往路レグ２３４の各組２６０が多壁ブレード６の負圧面１０に沿って延びる一方で、復路レグ２３８の各組が多壁ブレード６の正圧面８に沿って延びる。径方向および周方向のオフセットは、例えば後縁冷却回路２３０の幾何学的制約および熱容量の制約ならびに／あるいは他の要因に基づき、さまざまであってよい。他の実施形態においては、往路レグ２３４の各組２６０が多壁ブレード６の正圧面８に沿って延びる一方で、復路レグ２３８の各組が多壁ブレード６の負圧面１０に沿って延びてよい。
【００４４】
例えばガスタービンシステム１０２（図１９）の圧縮機１０４によって生成された冷却空気２４０（または、他の適切な冷却剤）の流れは、少なくとも１つの冷却剤の供給部（例えば、冷気供給部２４２）を介して後縁冷却回路２３０に流入する。各々の冷気供給部２４２を、例えば図２に示した後縁通路２４のうちの１つ以上を使用して形成することができ、あるいは多壁ブレード６内の任意の他の適切な冷却空気の供給源を用いて設けることができる。
【００４５】
通路２４４が、冷気供給部２４２を往路レグ２３４の各組２６０に流体連通させる。冷却空気２４０の流れの一部２５０が、通路２４４を通って往路レグ２３４の各組２６０へと入り、個別の流れ２５２に分割される。各々の個別の流れ２５２は、往路レグ２３４を通り、対応するターン２３６を介して隣接する復路レグ２３８へと入る。この限りにおいて、流れ２５２は、ターン２３６によって方向が変えられ（例えば、反転させられ）、隣接する復路レグ２３８に流入する。復路レグ２３８の各組２６２の復路レグ２３８における流れ２５２は、合流し、通路２５６を通って集合通路２４６へと流れ込む流れ２５４となる。流れ２５４は、集合通路２４６において合流し、冷却空気の流れ２４８を形成する。
【００４６】
いくつかの実施形態によれば、単一の集合通路２４６を設けることができるが、複数の集合通路２４６を利用することも可能である。集合通路２４６を、例えば図２に示した後縁通路２４のうちの１つを使用して形成することができ、あるいは多壁ブレード６内の１つ以上の他の通路を用いて設けることができる。図１５においては集合通路２４６を通って径方向外側へと流れるように図示されているが、代わりに、「使用後」の冷却空気の流れ２４８は、集合通路２４６を通って径方向内側へと流れてもよい。
【００４７】
集合通路２４６へと流入し、集合通路２４６を通って流れる合流した冷却空気の流れ２４８またはその一部を、（例えば、１つ以上の通路（例えば、通路１８〜２４）および／または多壁ブレード６内の他の通路を使用して）多壁ブレード６の１つ以上のさらなる冷却回路へと導くことができる。この限りにおいて、冷却空気の流れ２４８の残りの熱容量の少なくとも一部を、多壁ブレード６の後縁１６から非効率的に排出する代わりに、冷却の目的のために利用することができる。
【００４８】
いくつかの実施形態において、後縁冷却回路２３０におけるレグの１つ以上の組２６０、２６２の往路および復路レグ２３４，２３８は、異なるサイズを有してもよい。例えば、各組２６０の往路レグ２３４は、各組２６２の復路レグ２５８よりも大きくてよい。さらなる実施形態においては、後縁冷却回路２３０における１つ以上の組２６０、２６２の往路レグ２３４および／または復路レグ２３８のサイズを、例えば多壁ブレード６の後縁１６における組２６０、２６２の相対の径方向位置に基づいて変えることができる。さらなる実施形態においては、後縁冷却回路２３０内の組２６０、２６２のうちの少なくともいくつかにおいて、障害物を設けることができる。図１５に示した構成は、後縁冷却回路２３０における流体の滞留領域を減らし、熱伝達を改善し、圧力損失を低減し、製造のための強度を提供する。
【００４９】
他の実施形態においては、図１７に示されるように、図１５に示した実施形態における往路レグ２３４の各組２６０を、単一の往路レグ３３４で置き換えることができる一方で、復路レグ２３８の各組２６２を、単一の復路レグ３３８で置き換えることができる。各々の往路レグ３３４を複数の隣接する復路レグ３３８に流体連通させるために、複数のターン３３６が設けられる。
【００５０】
図１７に示される後縁冷却回路３３０において、各々の往路レグ３３４は、多壁ブレード６の後縁１６に向かって軸方向に延びる。各々の復路レグ３３８は、多壁ブレードの前縁１４に向かって軸方向に延びる。往路および復路レグ３３４，３３８は、多壁ブレード６の負圧面１０および正圧面８の輪郭に沿うことができる。いくつかの実施形態において、後縁冷却回路３３０は、多壁ブレード６の後縁１６の径方向の全長Ｌ（図５）に広がることができる。他の実施形態において、後縁冷却回路３３０は、多壁ブレード６の後縁１６の１つ以上の部分に部分的に広がることができる。往路および復路レグ３３４，３３８は、多壁ブレード６の後縁１６の径方向の長さＬ（図５）の少なくとも一部分において、交互の並びで径方向に間隔を空けつつ（すなわち、「ｒ」軸に沿って）位置することができる。
【００５１】
図１８に示されるように、各々の往路レグ３３４は、隣接する少なくとも１つの復路レグ３３８に対して角度βに位置するように、周方向にオフセットされてよい。この図示の構成においては、各々の往路レグ３３４が多壁ブレード６の負圧面１０に沿って延びる一方で、復路レグ３３８が多壁ブレード６の正圧面８に沿って延びる。径方向および周方向のオフセットは、例えば後縁冷却回路３３０の幾何学的制約および熱容量の制約ならびに／あるいは他の要因に基づき、さまざまであってよい。他の実施形態においては、各々の往路レグ３３４が多壁ブレード６の正圧面８に沿って延びる一方で、各々の復路レグ３３８が多壁ブレード６の負圧面１０に沿って延びてよい。
【００５２】
例えばガスタービンシステム１０２（図１９）の圧縮機１０４によって生成された冷却空気３４０（または、他の適切な冷却剤）の流れは、少なくとも１つの冷却剤の供給部（例えば、冷気供給部３４２）を介して後縁冷却回路３３０に流入する。各々の冷気供給部３４２を、例えば図２に示した後縁通路２４のうちの１つ以上を使用して形成することができ、あるいは多壁ブレード６内の任意の他の適切な冷却空気の供給源を用いて設けることができる。
【００５３】
冷却空気３４０の流れの一部３４４が、各々の往路レグ３３４へと入り、往路レグ３３４に流体連通したターン３３６に向かって流れる。冷却空気の流れ３４４は、ターン３３６の間で分割され、冷却空気の流れ３４４の一部３５０が各々のターン３３６に進入する。各々のターン３３６は、冷却空気の流れ３５０をそれぞれの隣接する復路レグ３３８へと向け直す（例えば、反転させる）。各々の復路レグ３３８における冷却空気の流れ３５０は、合流し、集合通路３４６へと流れ込む合流した冷却空気の流れ３５２を形成する。流れ３５２は、集合通路３４６において合流し、冷却空気の流れ３４８を形成する。
【００５４】
いくつかの実施形態によれば、単一の集合通路３４６を設けることができるが、複数の集合通路３４６を利用することも可能である。集合通路３４６を、例えば図２に示した後縁通路２４のうちの１つ以上を使用して形成することができ、あるいは多壁ブレード６内の１つ以上の他の通路を用いて設けることができる。図１７においては集合通路３４６を通って径方向外側へと流れるように図示されているが、代わりに、「使用後」の冷却空気の流れ３４８は、集合通路３４６を通って径方向内側へと流れてもよい。
【００５５】
集合通路３４６へと流入し、集合通路３４６を通って流れる冷却空気の流れ３４８またはその一部を、（例えば、１つ以上の通路（例えば、通路１８〜２４）および／または多壁ブレード６内の他の通路を使用して）多壁ブレード６の１つ以上のさらなる冷却回路へと導くことができる。この限りにおいて、冷却空気の流れ３４８の残りの熱容量の少なくとも一部を、多壁ブレード６の後縁１６から非効率的に排出する代わりに、冷却の目的のために利用することができる。
【００５６】
いくつかの実施形態において、往路および復路レグ３３４、３３８は、異なるサイズを有してもよい。例えば、往路レグ３３４は、復路レグ３５８よりも大きくてよい。さらなる実施形態においては、往路レグ３３４および復路レグ３３８のサイズを、例えば多壁ブレード６の後縁１６における往路および復路レグ３３４、３３８の相対の径方向位置に基づいて変えることができる。さらなる実施形態においては、例えば金属ピン、隆起、フィン、プラグ、などの障害物３６２を、熱伝達を向上させるために、往路および／または復路レグ３３４、３３８の少なくともいくつかに設けることができる。図１７に示した構成は、後縁冷却回路３３０における流体の滞留領域を減らし、熱伝達を改善し、圧力損失を低減し、製造のための強度を提供する。
【００５７】
図１９が、本明細書において使用され得るガスターボ機械１０２の概略図を示している。ガスターボ機械１０２は、圧縮機１０４を含むことができる。圧縮機１０４は、流入する空気の流れ１０６を圧縮する。圧縮機１０４は、圧縮された空気の流れ１０８を燃焼器１１０へともたらす。燃焼器１１０は、圧縮された空気の流れ１０８を加圧された燃料の流れ１１２と混合し、この混合物に点火して、燃焼ガスの流れ１１４を生み出す。単一の燃焼器１１０のみが示されているが、ガスタービンシステム１０２は、任意の数の燃焼器１１０を含むことができる。次いで、燃焼ガスの流れ１１４は、典型的には複数のタービンブレード２（図１）を備えているタービン１１６へともたらされる。燃焼ガスの流れ１１４は、タービン１１６を駆動して機械的な仕事を生み出す。タービン１１６で生み出された機械的な仕事は、シャフト１１８を介して圧縮機１０４を駆動し、さらに発電機などの外部負荷１２０を駆動するために用いられてよい。
【００５８】
多壁の翼形部／ブレードの後縁の追加の冷却をもたらし、さらには／あるいは冷却フィルムを後縁へと直接もたらすために、排気通路（図示せず）を、本明細書に記載のいずれかの冷却回路の任意の部分から、後縁を通過し、後縁から外へと、かつ／または後縁に隣接する翼形部／ブレードの側面から外へと、通すことができる。各々の排気通路を、特定の冷却回路を流れる冷却剤の一部（例えば、半分未満）のみを受け取るように寸法付け、さらには／あるいは後縁内に配置することができる。排気通路を備える場合であっても、依然として、冷却剤の大半（例えば、半分よりも多く）を、冷却回路を通って流し、とくには冷却回路の復路レグを通って流し、その後に例えばフィルム冷却および／または衝突冷却などの本明細書に記載の他の目的のために多壁の翼形部／ブレードの別の部分へともたらすことができる。
【００５９】
さまざまな実施形態では、互いに「結合される」ものとして記載された構成要素は、１つまたは複数の界面に沿って接合されてもよい。いくつかの実施形態では、これらの界面は、異なる構成要素間の接合を含むことができ、他の場合では、これらの界面は、堅固におよび／または一体的に形成された相互接続を含むことができる。すなわち、場合によっては、互いに「結合された」構成要素は、単一の連続した部材を画成するように同時に形成することができる。しかしながら、他の実施形態において、これらの結合した構成要素は、別々の部材として形成された後に公知のプロセス（例えば、締め付け、超音波溶接、接着）によって結び付けられてよい。流体連通は、流体が流れることができる結合を指す。
【００６０】
或る要素または層が、他の要素に対して「上に位置し」、「係合し」、「接続され」、あるいは「結合し」ていると称される場合、他の要素に対して直接的に上に位置し、係合し、接続され、あるいは係合しても、介在の要素が存在してもよい。対照的に、或る要素が、他の要素に対して「直接的に上に位置し」、「直接的に係合し」、「直接的に接続され」、あるいは「直接的に結合し」ていると称される場合、いかなる介在の要素または層も存在できないかもしれない。要素間の関係を説明するために使用される他の用語も、同様な方法で解釈されなければならない（例えば、「・・・の間に」に対する「・・・の間に直接的に」、「・・・に隣接」に対する「・・・に直接的に隣接」、など）。本明細書において使用されるとき、用語「および／または」は、そこに挙げられた項目のうちの１つ以上からなる任意かつすべての組み合わせを含む。
【００６１】
本明細書で用いる用語は、特定の実施形態を説明することだけを目的とし、本開示を限定することを目的とするものではない。本明細書で用いられるように、文脈で別途明確に指示しない限り、単数形「１つの（ａ）」、「１つの（ａｎ）」および「前記（ｔｈｅ）」は複数形も含むものとする。「含む（ｃｏｍｐｒｉｓｅｓ）」および／または「含む（ｃｏｍｐｒｉｓｉｎｇ）」という用語は、本明細書で使用される場合に、記載した特徴、整数、ステップ、動作、要素、および／または構成部品の存在を示すが、１つもしくは複数の他の特徴、整数、ステップ、動作、要素、構成部品、および／またはこれらのグループの存在もしくは追加を排除するものではないことがさらに理解されるであろう。
【００６２】
この明細書は、最良の形態を含んだ本発明の開示のために、また、任意のデバイスまたはシステムの製作および使用、ならびに任意の組み込まれた方法の実行を含んだ本発明の実施がいかなる当業者にも可能になるように、実施例を用いている。本発明の特許可能な範囲は、特許請求の範囲によって定義され、当業者が想到するその他の実施例を含むことができる。このような他の実施例は、特許請求の範囲の文言との差がない構造要素を有する場合、または特許請求の範囲の文言との実質的な差がない等価の構造要素を含む場合、特許請求の範囲内にある。
［実施態様１］
多壁ブレード（６）のための後縁冷却システムであって、
前記多壁ブレード（６）の後縁（１６）に向かって延びており、冷却剤の供給部（４２、１４２、２４２、３４２）に流体連通した往路レグ（３４、１３４、２３４、３３４）の組（１６０、２６０）と、
前記多壁ブレード（６）の後縁（１６）から遠ざかるように延びており、冷却剤の集合通路（４６、１４６、２４６、３４６）に流体連通した復路レグ（３８、１３８、２３８、３３８）の組（１６２、２６２）と、
前記往路レグ（３４、１３４、２３４、３３４）の組（１６０、２６０）と前記復路レグ（３８、１３８、２３８、３３８）の組（１６２、２６２）とを流体連通させる接続システム（３６、１３６、２３６、３３６）と
を備えており、
前記往路レグ（３４、１３４、２３４、３３４）の組（１６０、２６０）は、前記多壁ブレード（６）の径方向の軸（ｒ）に沿って前記復路レグ（３８、１３８、２３８、３３８）の組（１６２、２６２）から径方向にオフセットされている、後縁冷却システム。
［実施態様２］
前記復路レグ（３８、１３８、２３８、３３８）の組（１６２、２６２）は、前記往路レグ（３４、１３４、２３４、３３４）の組（１６０、２６０）に対して周方向にオフセットされている、実施態様１に記載の後縁冷却システム。
［実施態様３］
前記往路レグ（３４、１３４、２３４、３３４）の組（１６０、２６０）は、前記多壁ブレード（６）の負圧面（１０）に沿って延び、前記復路レグ（３８、１３８、２３８、３３８）の組（１６２、２６２）は、前記多壁ブレード（６）の正圧面（８）に沿って延びており、あるいは前記往路レグ（３４、１３４、２３４、３３４）の組（１６０、２６０）は、前記多壁ブレード（６）の正圧面（８）に沿って延び、前記復路レグ（３８、１３８、２３８、３３８）の組（１６２、２６２）は、前記多壁ブレード（６）の負圧面（１０）に沿って延びている、実施態様２に記載の後縁冷却システム。
［実施態様４］
前記冷却剤の供給部（４２、１４２、２４２、３４２）は、往路レグ（３４、１３４、２３４、３３４）の複数の組（１６０、２６０）に流体連通し、前記冷却剤の集合通路（４６、１４６、２４６、３４６）は、復路レグ（３８、１３８、２３８、３３８）の複数の組（１６２、２６２）に流体連通している、実施態様１に記載の後縁冷却システム。
［実施態様５］
往路レグ（３４、１３４、２３４、３３４）の所与の組（１６０、２６０）のうちの第１の往路レグが、前記接続システム（３６、１３６、２３６、３３６）によって、復路レグ（３８、１３８、２３８、３３８）の隣接する組（１６２、２６２）のうちの復路レグに流体連通し、往路レグ（３４、１３４、２３４、３３４）の前記所与の組（１６０、２６０）のうちの第２の往路レグが、前記接続システム（３６、１３６、２３６、３３６）によって、復路レグ（３８、１３８、２３８、３３８）の別の隣接する組（１６２、２６２）のうちの復路レグに流体連通する、実施態様４に記載の後縁冷却システム。
［実施態様６］
前記接続システム（３６、１３６、２３６、３３６）は、後部接続部（１３６）を備え、該後部接続部（１３６）は、往路レグ（１３４）の各組（１６０）の往路レグおよび復路レグ（１３８）の各組（１６２）の復路レグを接続する、実施態様５に記載の後縁冷却システム。
［実施態様７］
前記後部接続部（１３６）は、往路レグ（１３４）の各組（１６０）の往路レグの間および復路レグ（１３８）の各組（１６２）の復路レグの間の地点に配置された輪郭部（１７２）を含む、実施態様６に記載の後縁冷却システム。
［実施態様８］
前記接続システム（３６、１３６、２３６、３３６）は、複数のターン（３６、、１３６、２３６、３３６）を備える、実施態様５に記載の後縁冷却システム。
［実施態様９］
往路レグ（２３４、３３４）の所与の組（２６０）のうちの往路レグが、第１のターン（２３６、３３６）によって、復路レグ（２３８、３３８）の隣接する組（２６２）のうちの復路レグに流体連通し、往路レグ（２３４、３３４）の前記所与の組（２６０）のうちの往路レグが、第２のターン（２３６、３３６）によって、復路レグ（２３８、３３８）の別の隣接する組（２６２）のうちの復路レグに流体連通する、実施態様４に記載の後縁冷却システム。
［実施態様１０］
前記往路レグ（３３４）の所与の組は、単一の往路レグ（３３４）を含む、実施態様９に記載の後縁冷却システム。
［実施態様１１］
前記復路レグ（３３８）の隣接する組の各々は、単一の復路レグ（３３８）を含む、実施態様１０に記載の後縁冷却システム。
［実施態様１２］
後縁冷却システムを内部に配置して備えている多壁タービンブレード（６）であって、
前記後縁冷却システムは、
当該多壁ブレード（６）の後縁（１６）に向かって延びており、冷却剤の供給部（４２、１４２、２４２、３４２）に流体連通した往路レグ（３４、１３４、２３４、３３４）の組（１６０、２６０）と、
当該多壁ブレード（６）の後縁（１６）から遠ざかるように延びており、冷却剤の集合通路（４６、１４６、２４６、３４６）に流体連通した復路レグ（３８、１３８、２３８、３３８）の組（１６２、２６２）と、
前記往路レグ（３４、１３４、２３４、３３４）の組（１６０、２６０）と前記復路レグ（３８、１３８、２３８、３３８）の組（１６２、２６２）とを流体連通させる接続システム（３６、１３６、２３６、３３６）と
を備えており、
前記往路レグ（３４、１３４、２３４、３３４）の組（１６０、２６０）は、当該多壁ブレード（６）の径方向の軸（ｒ）に沿って前記復路レグ（３８、１３８、２３８、３３８）の組（１６２、２６２）から径方向にオフセットされている、多壁タービンブレード（６）。
［実施態様１３］
前記復路レグ（３８、１３８、２３８、３３８）の組（１６２、２６２）は、前記往路レグ（３４、１３４、２３４、３３４）の組（１６０、２６０）に対して周方向にオフセットされている、実施態様１２に記載の多壁タービンブレード（６）。
［実施態様１４］
前記往路レグ（３４、１３４、２３４、３３４）の組（１６０、２６０）は、当該多壁ブレード（６）の負圧面（１０）に沿って延び、前記復路レグ（３８、１３８、２３８、３３８）の組（１６２、２６２）は、当該多壁ブレード（６）の正圧面（８）に沿って延びており、あるいは前記往路レグ（３４、１３４、２３４、３３４）の組（１６０、２６０）は、当該多壁ブレード（６）の正圧面（８）に沿って延び、前記復路レグ（３８、１３８、２３８、３３８）の組（１６２、２６２）は、当該多壁ブレード（６）の負圧面（１０）に沿って延びている、実施態様１２に記載の多壁タービンブレード（６）。
［実施態様１５］
前記冷却剤の供給部（４２、１４２、２４２、３４２）は、往路レグ（３４、１３４、２３４、３３４）の複数の組（１６０、２６０）に流体連通し、前記冷却剤の集合通路（４６、１４６、２４６、３４６）は、復路レグ（３８、１３８、２３８、３３８）の複数の組（１６２、２６２）に流体連通している、実施態様１２に記載の多壁タービンブレード（６）。
［実施態様１６］
往路レグ（３４、１３４、２３４、３３４）の所与の組（１６０、２６０）のうちの第１の往路レグが、前記接続システム（３６、１３６、２３６、３３６）によって、復路レグ（３８、１３８、２３８、３３８）の隣接する組（１６２、２６２）のうちの復路レグに流体連通し、往路レグ（３４、１３４、２３４、３３４）の前記所与の組（１６０、２６０）のうちの第２の往路レグが、前記接続システム（３６、１３６、２３６、３３６）によって、復路レグ（３８、１３８、２３８、３３８）の別の隣接する組（１６２、２６２）のうちの復路レグに流体連通する、実施態様１５に記載の多壁タービンブレード（６）。
［実施態様１７］
前記接続システム（３６、１３６、２３６、３３６）は、後部接続部（１３６）を備え、該後部接続部（１３６）は、往路レグ（１３４）の各組（１６０）の往路レグおよび復路レグ（１３８）の各組（１６２）の復路レグを接続する、実施態様１６に記載の多壁タービンブレード（６）。
［実施態様１８］
前記後部接続部（１３６）は、往路レグ（１３４）の各組（１６０）の往路レグの間および復路レグ（１３８）の各組（１６２）の復路レグの間の地点に配置された輪郭部（１７２）を含む、実施態様１７に記載の多壁タービンブレード（６）。
［実施態様１９］
前記接続システム（２３６、３３６）は、複数のターン（２３６、３３６）を備え、往路レグ（２３４、３３４）の所与の組（２６０）のうちの往路レグが、第１のターン（２３６、３３６）によって、復路レグ（２３８、３３８）の隣接する組（２６２）のうちの復路レグに流体連通し、往路レグ（２３４、３３４）の前記所与の組（２６０）のうちの往路レグが、第２のターン（２３６、３３６）によって、復路レグ（２３８、３３８）の別の隣接する組（２６２）のうちの復路レグに流体連通する、実施態様１５に記載の多壁タービンブレード（６）。
［実施態様２０］
圧縮機部分（１０４）と、燃焼器部分（１１０）と、タービン部分（１１６）とを含んでおり、前記タービン部分（１１６）は複数のタービンブレード（２）を含み、前記タービンブレード（２）のうちの少なくとも１つは多壁ブレード（６）を含んでいるガスタービンシステムと、
前記多壁ブレード（６）の内部に配置された後縁冷却システムと
を備えており、
前記後縁冷却システムは、
前記多壁ブレード（６）の後縁（１６）に向かって延びており、冷却剤の供給部（４２、１４２、２４２、３４２）に流体連通した往路レグ（３４、１３４、２３４、３３４）の組（１６０、２６０）と、
前記多壁ブレード（６）の後縁（１６）から遠ざかるように延びており、冷却剤の集合通路（４６、１４６、２４６、３４６）に流体連通した復路レグ（３８、１３８、２３８、３３８）の組（１６２、２６２）と、
前記往路レグ（３４、１３４、２３４、３３４）の組（１６０、２６０）と前記復路レグ（３８、１３８、２３８、３３８）の組（１６２、２６２）とを流体連通させる接続システム（３６、１３６、２３６、３３６）と
を備え、
前記往路レグ（３４、１３４、２３４、３３４）の組（１６０、２６０）は、前記多壁ブレード（６）の径方向の軸（ｒ）に沿って前記復路レグ（３８、１３８、２３８、３３８）の組（１６２、２６２）から径方向および周方向にオフセットされている、ターボ機械（１０２）。
【符号の説明】
【００６３】
２  タービンブレード
４  シャンク
５  正圧面プラットフォーム
６  多壁タービンブレード
７  負圧面プラットフォーム
８  正圧面
１０  負圧面
１４  前縁
１６  後縁
１８  前縁通路
２０  正圧面通路
２２  負圧面通路
２４  後縁通路
２６  中央通路
２８  冷却回路の位置
３０  後縁冷却回路
３２  後縁冷却回路
３２Ａ  冷却回路
３２Ｂ  冷却回路
３２Ｃ  冷却回路
３２Ｄ  冷却回路
３４  往路レグ
３４Ａ  往路レグ
３４Ｂ  往路レグ
３４Ｃ  往路レグ
３４Ｄ  往路レグ
３６  ターン
３８  復路レグ
３８Ａ  復路レグ
３８Ｂ  復路レグ
３８Ｃ  復路レグ
３８Ｄ  復路レグ
４０  冷却空気
４２  冷気供給部
４４  （冷却空気の流れの）一部
４６  集合通路
４８  冷却空気
５０  冷却フィルム
５２  冷却フィルム
５４  蛇行冷却回路
５６  先端領域
５８  冷却フィルム
６２  障害物
１０２  ガスタービンシステム、ガスターボ機械
１０４  圧縮機
１０８  圧縮された空気
１１０  燃焼器
１１２  燃料
１１４  燃焼ガス
１１６  タービン
１１８  シャフト
１２０  外部負荷
１３０  後縁冷却回路
１３４  往路レグ
１３６  後部接続部
１３８  復路レグ
１４０  冷却空気
１４２  冷気供給部
１４４  通路
１４６  集合通路
１４８  冷却空気
１５０  （冷却空気の流れの）一部
１５２  個別の流れ
１５４  流れ
１５６  通路
１６０  往路レグの組
１６２  復路レグの組
１７０  後端面
１７２  輪郭部
２３０  後縁冷却回路
２３４  往路レグ
２３６  ターン
２３８  復路レグ
２４０  冷却空気
２４２  冷気供給部
２４４  通路
２４６  集合通路
２５０  （冷却空気の流れの）一部
２５２  個別の流れ
２５４  流れ
２５６  通路
２５８  復路レグ
２６０  往路レグの組
２６２  復路レグの組
３３０  後縁冷却回路
３３４  往路レグ
３３６  ターン、接続システム
３３８  復路レグ
３４０  冷却空気
３４２  冷気供給部
３４４  （冷却空気の流れの）一部
３４６  集合通路
３４８  冷却空気
３５０  （冷却空気の流れの）一部
３５８  復路レグ
３６２  障害物
Ａ  軸
Ａ  軸
Ｌ  全長
Ｐ１  ラジアル面
Ｐ２  ラジアル面
α  角度
【図１】
2018091322.tif 000003
【図２】
2018091322.tif 000004
【図３】
2018091322.tif 000005
【図４】
2018091322.tif 000006
【図５】
2018091322.tif 000007
【図６】
2018091322.tif 000008
【図７】
2018091322.tif 000009
【図８】
2018091322.tif 000010
【図９】
2018091322.tif 000011
【図１０】
2018091322.tif 000012
【図１１】
2018091322.tif 000013
【図１２】
2018091322.tif 000014
【図１３】
2018091322.tif 000015
【図１４】
2018091322.tif 000016
【図１５】
2018091322.tif 000017
【図１６】
2018091322.tif 000018
【図１７】
2018091322.tif 000019
【図１８】
2018091322.tif 000020
【図１９】
2018091322.tif 000021
【外国語明細書】
2018091322000001.pdf